【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
第１のレーザ光を出射する第１の光源と、
前記第１の光源を保持し、前記第１のレーザ光が通過する第１の筒部を有する第１の保持部材と、
第２のレーザ光を出射する第２の光源と、
前記第２の光源を保持し、前記第２のレーザ光が通過する第２の筒部を有する第２の保持部材と、
複数の反射面を有し、前記第１の光源から出射された前記第１のレーザ光と前記第２の光源から出射された前記第２のレーザ光とを回転駆動することによって偏向する回転多面鏡と、
前記回転多面鏡が設けられる底面と、前記第１の保持部材と前記第２の保持部材とが設けられ前記底面から立設する側壁部と、を有し、前記回転多面鏡の反射面によって前記第１のレーザ光が反射される方向と前記第２のレーザ光が反射される方向とが前記回転多面鏡の回転軸線方向に関して反対となるように、かつ、前記回転多面鏡の反射面に入射する前記第１のレーザ光の光路と前記回転多面鏡の反射面に入射する前記第２のレーザ光の光路とが前記回転多面鏡に向かうに従って近付くように、前記回転多面鏡と前記第１の保持部材と前記第２の保持部材とが配置された筐体と、
前記第１の光源と前記回転多面鏡との間において前記底面から立設し、前記第１の光源から出射され前記第１の筒部の内壁により反射された第１のレーザ光を遮光する第１の遮光壁部と、
前記第２の光源と前記回転多面鏡との間において前記底面から立設し、前記第２の光源から出射され前記第２の筒部の内壁により反射された第２のレーザ光を遮光する第２の遮光壁部と、
を備えることを特徴とする光走査装置。
【請求項２】
第３のレーザ光を出射する第３の光源と、
前記第３の光源を保持し、前記第３のレーザ光が通過する第３の筒部を有する第３の保持部材と、
を備え、
前記第３の保持部材は、前記第３のレーザ光が前記第１のレーザ光を反射する前記回転多面鏡の反射面に入射するように、かつ、前記第１の光源から出射され前記第１の筒部の内壁に反射されることなく前記反射面に入射する第１のレーザ光と前記第３の光源から出射され前記第３の筒部の内壁に反射されることなく前記反射面に入射する第３のレーザ光とが所定の角度となるように前記側壁部に設けられていることを特徴とする請求項１に記載の光走査装置。
【請求項３】
前記第１の遮光壁部は、前記第１の光源から出射され前記第１の筒部の内壁により反射された第１のレーザ光、又は、前記第３の光源から出射され前記第３の筒部の内壁により反射された第３のレーザ光を遮光する第１の壁部を有することを特徴とする請求項２に記載の光走査装置。
【請求項４】
前記第１のレーザ光の主走査方向の幅を規定するための第１の開口と、前記第３のレーザ光の主走査方向の幅を規定するための第３の開口と、を有する第１の絞り部を有し、
前記第１の壁部は、前記第１の絞り部と一体に形成されていることを特徴とする請求項３に記載の光走査装置。
【請求項５】
第４のレーザ光を出射する第４の光源と、
前記第４の光源を保持し、前記第４のレーザ光が通過する第４の筒部を有する第４の保持部材と、
を備え、
前記第４の保持部材は、前記第４のレーザ光が前記第２のレーザ光を反射する前記回転多面鏡の反射面に入射するように、かつ、前記第２の光源から出射され前記第２の筒部の内壁に反射されることなく前記反射面に入射する第２のレーザ光と前記第４の光源から出射され前記第４の筒部の内壁に反射されることなく前記反射面に入射する第４のレーザ光とが所定の角度となるように前記側壁部に設けられていることを特徴とする請求項２から請求項４のいずれか１項に記載の光走査装置。
【請求項６】
前記第２の遮光壁部は、前記第２の光源から出射され前記第２の筒部の内壁により反射された第２のレーザ光、又は、前記第４の光源から出射され前記第４の筒部の内壁により反射された第４のレーザ光を遮光する第２の壁部を有することを特徴とする請求項５に記載の光走査装置。
【請求項７】
前記第２のレーザ光の主走査方向の幅を規定するための第２の開口と、前記第４のレーザ光の主走査方向の幅を規定するための第４の開口と、を有する第２の絞り部を有し、
前記第２の壁部は、前記第２の絞り部と一体に形成されていることを特徴とする請求項６に記載の光走査装置。
【請求項８】
請求項１から請求項７のいずれか１項に記載の光走査装置と、
前記第１の光源から出射された第１のレーザ光により潜像が形成される第１の感光体と、
前記第２の光源から出射された第２のレーザ光により潜像が形成される第２の感光体と、
前記第１の感光体に形成された潜像をトナーにより現像しトナー像を形成する第１の現像手段と、
前記第２の感光体に形成された潜像をトナーにより現像しトナー像を形成する第２の現像手段と、
前記第１の現像手段により形成されたトナー像を被転写体に転写する第１の転写手段と、
前記第２の現像手段により形成されたトナー像を被転写体に転写する第２の転写手段と、を備えることを特徴とする画像形成装置。
【手続補正２】
【補正対象書類名】明細書
【補正対象項目名】発明の名称
【補正方法】変更
【補正の内容】
【発明の名称】光走査装置及び画像形成装置
【手続補正３】
【補正対象書類名】明細書
【補正対象項目名】０００１
【補正方法】変更
【補正の内容】
【０００１】
本発明は、複写機、プリンタ、ファクシミリ、それらの複合機等の画像形成装置と、その画像形成装置に用いられる光走査装置に関する。
【手続補正４】
【補正対象書類名】明細書
【補正対象項目名】０００９
【補正方法】変更
【補正の内容】
【０００９】
（１）第１のレーザ光を出射する第１の光源と、前記第１の光源を保持し、前記第１のレーザ光が通過する第１の筒部を有する第１の保持部材と、第２のレーザ光を出射する第２の光源と、前記第２の光源を保持し、前記第２のレーザ光が通過する第２の筒部を有する第２の保持部材と、複数の反射面を有し、前記第１の光源から出射された前記第１のレーザ光と前記第２の光源から出射された前記第２のレーザ光とを回転駆動することによって偏向する回転多面鏡と、前記回転多面鏡が設けられる底面と、前記第１の保持部材と前記第２の保持部材とが設けられ前記底面から立設する側壁部と、を有し、前記回転多面鏡の反射面によって前記第１のレーザ光が反射される方向と前記第２のレーザ光が反射される方向とが前記回転多面鏡の回転軸線方向に関して反対となるように、かつ、前記回転多面鏡の反射面に入射する前記第１のレーザ光の光路と前記回転多面鏡の反射面に入射する前記第２のレーザ光の光路とが前記回転多面鏡に向かうに従って近付くように、前記回転多面鏡と前記第１の保持部材と前記第２の保持部材とが配置された筐体と、前記第１の光源と前記回転多面鏡との間において前記底面から立設し、前記第１の光源から出射され前記第１の筒部の内壁により反射された第１のレーザ光を遮光する第１の遮光壁部と、前記第２の光源と前記回転多面鏡との間において前記底面から立設し、前記第２の光源から出射され前記第２の筒部の内壁により反射された第２のレーザ光を遮光する第２の遮光壁部と、を備えることを特徴とする光走査装置。
（２）前記（１）に記載の光走査装置と、前記第１の光源から出射された第１のレーザ光により潜像が形成される第１の感光体と、前記第２の光源から出射された第２のレーザ光により潜像が形成される第２の感光体と、前記第１の感光体に形成された潜像をトナーにより現像しトナー像を形成する第１の現像手段と、前記第２の感光体に形成された潜像をトナーにより現像しトナー像を形成する第２の現像手段と、前記第１の現像手段により形成されたトナー像を被転写体に転写する第１の転写手段と、前記第２の現像手段により形成されたトナー像を被転写体に転写する第２の転写手段と、を備えることを特徴とする画像形成装置。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】